(57)【要約】【課題】確定申告書類の氏名欄を外から容易に視認することができる確定申告書類用フォルダーを提供する。【解決手段】確定申告書類の氏名欄が外から視認できるように、フォルダーの表表紙又は裏表紙の一部に横長の孔を形成する。【選択図】図１
2012091426.tif 000002
【特許請求の範囲】
【請求項１】
表表紙と裏表紙を有しており、当該表表紙と裏表紙の隣り合う三辺側が閉じている閉じ部と、残りの１辺側が開いている開放部とを備え、当該開放部を開いて確定申告書類を収納する確定申告書類用フォルダーであって、確定申告書類を収納したときに、該確定申告書類の氏名欄が外から視認できるように、表表紙又は裏表紙の一部に横長の孔が形成されていることを特徴とする確定申告書類用フォルダー。
【請求項２】
表表紙と裏表紙を有しており、当該表表紙と裏表紙の隣り合う二辺側が閉じている閉じ部と、当該閉じ部に対向する二辺側が開いている開放部とを備え、当該開放部を開いて確定申告書類を収納する確定申告書類用フォルダーであって、確定申告書類を収納したときに、該確定申告書類の氏名欄が外から視認できるように、表表紙又は裏表紙の一部に横長の孔が形成されていることを特徴とする確定申告書類用フォルダー。
【請求項３】
表表紙と裏表紙が二つ折りされて、表表紙又は裏表紙の内面に、確定申告書類を収納するためのポケット部を設けた確定申告書類用フォルダーであって、確定申告書類を収納したときに、該確定申告書類の氏名欄が外から視認できるように、表表紙又は裏表紙の一部に横長の孔が形成されていることを特徴とする確定申告書類用フォルダー。      
【発明の詳細な説明】
【技術分野】
【０００１】
本発明は、確定申告書類用フォルダーに関する。詳しくは、確定申告書類の氏名欄を外から容易に視認することができる確定申告書類用フォルダーに関する。
【背景技術】
【０００２】
確定申告が必要な人は、確定申告書類を税務署に提出するが、確定申告の際に提出する確定申告書類あるいは提出した確定申告書類の写しを収納して、整理、保管する場合には、一般に、フォルダーが使用される。このとき使用されるフォルダーとしては、例えば、重ねた一対のプラスチックシートの間に確定申告書類を挟んで収納する簡単な構造のものや、二つ折りシートからなり、該シートに取り付けたポケット部に確定申告書類を挟んで収納するものなどがある。
【０００３】
確定申告書類は、個人情報に関する内容を含むものであることから、確定申告書類をフォルダーに収納した場合、外からフォルダーを見ても、フォルダー内の確定申告書類の内容がわからないようにする必要がある。そのため、確定申告書類を収納するフォルダーを構成するシートには、通常、不透明な紙材又はプラスチックが使用される。  
【０００４】
しかしながら、確定申告書類を作成する会計事務所、税理士事務所等において、作成した確定申告書類をフォルダーに収納した後、その確定申告書類が誰のものであるかを確認する必要が生じる。その場合、いちいち収納した確定申告書類をフォルダーから取り出して氏名を確認することは、非常に煩雑な作業となる。
【０００５】
また、従来使用されている不透明なフォルダーでは、確定申告書類が収納されているかどうかを一見して確認することができないという問題もある。
【０００６】
そこで、会計事務所、税理士事務所等においては、確定申告書類を収納したフォルダーの表面に顧客である確定申告者の名前を書き込んだり、あるいは、確定申告者の名前を書いたラベルをフォルダーの表面に貼着したりして、フォルダーに収納した確定申告書類が誰のものであるかを外から容易に視認できるようにしている。
【発明の概要】
【発明が解決しようとする課題】
【０００７】
しかしながら、確定申告書類を収納したフォルダーの表面に確定申告者の名前を書き込んだり、確定申告者の名前を書いたラベルをフォルダーの表面に貼着したりすることは、手間がかかり、煩雑な作業である。
【０００８】
こうした状況に鑑み、会計事務所、税理士事務所等からは、上記のような煩雑な作業を行うことなく、確定申告書類の氏名欄を外から容易に視認することができる確定申告書類用フォルダーの開発が求められていた。
そこで、本発明は、確定申告書類の氏名欄を外から容易に視認することができる確定申告書類用フォルダーの提供を課題とする。
【課題を解決するための手段】
【０００９】
本発明者は、上記課題を解決するために鋭意検討した結果、本発明を完成するに至った。
すなわち、本発明は、表表紙と裏表紙を有しており、当該表表紙と裏表紙の隣り合う三辺側が閉じている閉じ部と、残りの１辺側が開いている開放部とを備え、当該開放部を開いて確定申告書類を収納する確定申告書類用フォルダーであって、確定申告書類を収納したときに、該確定申告書類の氏名欄が外から視認できるように、表表紙又は裏表紙の一部に横長の孔が形成されていることを特徴とする確定申告書類用フォルダーである。
【００１０】
また、本発明の別の態様は、表表紙と裏表紙を有しており、当該表表紙と裏表紙の隣り合う二辺側が閉じている閉じ部と、当該閉じ部に対向する二辺側が開いている開放部とを備え、当該開放部を開いて確定申告書類を収納する確定申告書類用フォルダーであって、確定申告書類を収納したときに、該確定申告書類の氏名欄が外から視認できるように、表表紙又は裏表紙の一部に横長の孔が形成されていることを特徴とする確定申告書類用フォルダーである。
【００１１】
また、本発明の別の態様は、表表紙と裏表紙が二つ折りされて、表表紙又は裏表紙の内面に、確定申告書類を収納するためのポケットを設けた確定申告書類用フォルダーであって、確定申告書類を収納したときに、該確定申告書類の氏名欄が外から視認できるように、表表紙又は裏表紙の一部に横長の孔が形成されていることを特徴とする確定申告書類用フォルダーである。
【発明の効果】
【００１２】
本発明によれば、従来のように、確定申告書類を収納したフォルダーの表面に確定申告者の名前を書き込んだり、確定申告者の名前を書いたラベルをフォルダーの表面に貼着したりする必要がなくなり、確定申告書類の氏名欄を外から容易に視認することができる。
【図面の簡単な説明】
【００１３】
【図１】本発明に係る確定申告書類用フォルダーの一例を示す正面図である。
【図２】本発明に係る確定申告書類用フォルダーの一例を示す背面図である。
【図３】本発明に係る確定申告書類用フォルダーの一例を示す説明図である。
【図４】図３に示した確定申告書類用フォルダーに、確定申告書類を収納した状態を示す説明図である。
【発明を実施するための形態】
【００１４】
以下、本発明について、図面を参照しつつ、さらに詳細に説明する。図１は、本発明による確定申告書類用フォルダーの１実施例を示す正面図であり、図２はその背面図である。確定申告書類を収納する確定申告書類用フォルダー１は、紙又はプラスチックからなる縦長の袋体であり、両側縁と下縁は閉じており、上縁のみ開口している。
【００１５】
図１、２に例示した確定申告書類用フォルダー１は、重なり合う一対の表表紙２と裏表紙３を有しており、当該表表紙２と裏表紙３の隣り合う三辺側が閉じている閉じ部４と、残りの１辺側が開いている開放部５とを備えている袋体であり、両方の外側及び底側が閉じており、天側が開放されている。開放部５を通じて、確定申告書類の出し入れがなされ、当該開放部５を開いて、当該表表紙２と裏表紙３の間に、確定申告書類を挟んで収納して使用する。表表紙２は、確定申告書類用フォルダー１を正面から見た場合の前面である。なお、表表紙２の上端縁に、開放部５を閉じるための適当な部材を連接させ、例えば、裏表紙３にスリットを設けて、このスリット内に上記部材を挿入することにより、開放部５を閉じることができるようにしてもよい（図示せず）。また、閉じ部４は、表表紙２と裏表紙３を構成する１枚のシートが折り曲げられて形成されていてもよいし、表表紙２と裏表紙３を構成する２枚のシートが溶着等されて形成されていてもよい。
【００１６】
確定申告書類用フォルダー１は、確定申告書類を収納したときに、該確定申告書類の氏名欄が外から視認できるように、表表紙又は裏表紙の一部に横長の孔６が形成されている。横長の孔６は、確定申告書類を確定申告書類用フォルダー１に収納したときに、該確定申告書類の氏名欄に対応する、確定申告書類用フォルダー１の位置に設けられる。図１では、表表紙２の右上方に孔６を設けている。
【００１７】
確定申告書類には、確定申告書Ａ、確定申告書Ｂ等の種類があり、申告する内容に応じて、使用する申告書が異なる。確定申告書の種類によって、氏名欄の位置が異なり、また、年度によって確定申告書自体のレイアウトが変更されることがあるので、実際に収納する確定申告書類の種類に応じて、横長の孔を設ける位置を適宜変更させる。
【００１８】
本発明の別の態様としては、図１，２に示したように、表表紙と裏表紙を有する同様の袋状のものであるが、連続する２辺を連結し、残りの２辺を連結しないもの、すなわち、当該表表紙と裏表紙の隣り合う二辺側が閉じている閉じ部と、当該閉じ部に対向する二辺側が開いている開放部とを備えたものが例示される。すなわち、フォルダーの片方の側縁及び下縁が閉じており、残りの側縁及び上縁が開放されている構成のものである。最初に例示したフォルダーと同様に、表表紙と裏表紙が非連結状態にある当該開放部を開いて、当該表表紙と裏表紙の間に、確定申告書類を挟んで収納して使用する。
【００１９】
図３は、本発明に係る確定申告書類用フォルダーの別の一例を示す説明図であり、図４は、図３に示した確定申告書類用フォルダーに、確定申告書類を収納した状態を示す説明図である。
図３、４に示した確定申告書類用フォルダー１１は、表表紙１２と裏表紙１３が二つ折りされて、当該表表紙１２又は裏表紙１３の内面に、確定申告書類１４を収納するためのポケット部１５を設けている。図３、４は、確定申告書類用フォルダー１１の見開き状態を示しており、折り畳み線１６を中心線として左右対称に表表紙１２と裏表紙１３を設け、２つ折りに折り畳んで構成される。そして、確定申告書類を収納したときに、該確定申告書類の氏名欄が外から視認できるように、表表紙１２又は裏表紙１３の一部に横長の孔１７が形成されている。横長の孔１７は、確定申告書類１４を確定申告書類用フォルダー１１に収納したときに、該確定申告書類の氏名欄に対応する、確定申告書類用フォルダー１１の位置に設ける。
【００２０】
確定申告書類用フォルダーの材料としては、不透明な紙材又はプラスチックシートが使用される。確定申告書類用フォルダーを製造するには、従来公知の方法に従って、不透明な紙又はプラスチックシートを、図１〜４に示すような形状のフォルダーに成形、加工する。例えば、不透明な紙材又はプラスチックシートの折り曲げ装置、ヒートシール装置、打ち抜き加工装置、切断装置等を備えたフォルダー製造装置を使用して、不透明な紙材又はプラスチックシートを所定速度で送りながら、各装置で所定の処理を行う。横長の孔については、送られてくる不透明な紙材又はプラスチックシートを、所定の時間間隔で、打ち抜き加工装置により、抜き型を押し下げることで形成される。
【符号の説明】
【００２１】
１、１１  確定申告書類用フォルダー
２、１２  表表紙
３、１３  裏表紙
４  閉じ部
５  開放部
６、１７  孔
１４  確定申告書類
１５  ポケット部
１６  折り畳み線
【図１】
2012091426.tif 000003
【図２】
2012091426.tif 000004
【図３】
2012091426.tif 000005
【図４】
2012091426.tif 000006